(57)【要約】【課題】除塵構造を簡略化しシール構造を不要として、さらには通風の抵抗も抑制し、小型軽量で信頼性の高い除塵手段を備えた電気掃除機を提供すること。【解決手段】本体内に配設された電動送風機と、本体内に着脱自在に配設され、電動送風機が発生させる負圧により吸引された塵埃を吸引口より捕集する集塵部とを備え、集塵部は、一面が開口する略凹状をした塵埃を収容する集塵室と、集塵室を覆うように取付けられる細塵を濾過するためのメインフィルタからなり、メインフィルタの集塵室と対向する面側には、一端がメインフィルタに回動自在に軸支された粗塵を濾過するためのプレフィルタとプレフィルタに付勢力を与えるための付勢手段が配設され、プレフィルタは、メインフィルタから離れる方向に付勢されているようにした。【選択図】          図７
2011010929.tif 000002
【特許請求の範囲】
【請求項１】
本体内に配設された電動送風機と、
前記本体内に着脱自在に配設され、前記電動送風機が発生させる負圧により吸引された塵埃を吸引口より捕集する集塵部と、を備え、
前記集塵部は、一面が開口する略凹状をした塵埃を収容する集塵室と、前記集塵室を覆うように取付けられる細塵を濾過するためのメインフィルタからなり、前記メインフィルタの前記集塵室と対向する面側には、一端が前記メインフィルタに回動自在に軸支された粗塵を濾過するためのプレフィルタと前記プレフィルタに付勢力を与えるためのプレフィルタ付勢手段が配設され、前記プレフィルタは、前記メインフィルタから離れる方向に付勢されていることを特徴とする電気掃除機。
【請求項２】
前記プレフィルタは、前記メインフィルタに軸支された一端に対し他端が、前記集塵室に設けられたプレフィルタ受け部に、前記メインフィルタと所定の角度で離間して当接することを特徴とする請求項１記載の電気掃除機。
【請求項３】
前記プレフィルタは前記メインフィルタ軸受け部近傍に軸支されていることを特徴とする請求項１〜請求項２いずれかに記載の電気掃除機。
【請求項４】
前記プレフィルタに付勢力を与えるための前記プレフィルタ付勢手段の付勢力は、前記電動送風機が発生させる負圧による吸引力よりも弱く設定されていることを特徴とする請求項１〜請求項３いずれかに記載の電気掃除機。
【請求項５】
前記プレフィルタは、前記電動送風機を運転すると負圧による吸引力により軸支された箇所を中心に回動し、軸支された端部と反対側の端部が前記プレフィルタ受け部から離れ、前記メインフィルタ側に吸引されることを特徴とする請求項１〜請求項４いずれかに記載の電気掃除機。
【請求項６】
前記プレフィルタは、前記電動送風機を停止すると前記プレフィルタ付勢手段の付勢力により軸支された箇所を中心に回動し、前記メインフィルタ側から離れ、軸支された端部と反対側の端部が前記プレフィルタ受け部に衝突することを特徴とする請求項１〜請求項５いずれかに記載の電気掃除機。
【請求項７】
前記プレフィルタと前記メインフィルタ間に通風自在の枠体と前記枠体に付勢力を与えるための枠体付勢手段が配設され、前記枠体は一端が前記メインフィルタに回動自在に軸支され、かつ前記メインフィルタから離れる方向に付勢されていて、前記枠体付勢手段の付勢力は前記プレフィルタ付勢手段の付勢力よりも弱く設定されていることを特徴とする請求項１〜請求項４いずれかに記載の電気掃除機。
【請求項８】
前記プレフィルタは、前記電動送風機を運転すると負圧による吸引力により軸支された箇所を中心に回動し、前記枠体をともない前記プレフィルタ受け部から離れ、前記メインフィルタ側に吸引されることを特徴とする請求項７記載の電気掃除機。
【請求項９】
前記プレフィルタは、前記電動送風機を停止すると前記プレフィルタ付勢手段の付勢力により軸支された箇所を中心に回動し、前記メインフィルタ側から離れ、軸支された端部と反対側の端部が前記プレフィルタ受け部に衝突し、その後、前記枠体が前記枠体付勢手段の付勢力により前記プレフィルタに衝突することを特徴とする請求項１または請求項２または請求項３または請求項４または請求項７または請求項８いずれかに記載の電気掃除機。
【請求項１０】
前記メインフィルタは、前記集塵室開口の一辺の近傍に設けられたメインフィルタ軸受け部に回動自在に軸支されていることを特徴とする請求項１〜請求項９いずれかに記載の電気掃除機。
【請求項１１】
前記集塵部を本体内に装着した時、前記電動送風機は前記プレフィルタの軸支側と反対の端部側に配設されていることを特徴とする請求項１〜請求項１０いずれかに記載の電気掃除機。
【請求項１２】
前記電動送風機の運転を制御する制御手段を備え、前記制御手段は前記電動送風機の運転を断続的に入→切→入→切・・・と所定時間繰り返す運転モードを備えたことを特徴とする請求項１〜請求項１１いずれかに記載の電気掃除機。
【発明の詳細な説明】
【技術分野】
【０００１】
本発明は、集塵フィルタを備えた電気掃除機に関するもので、詳しくは集塵フィルタに付着する塵埃を除去する除塵手段を備えた電気掃除機に関する。
【背景技術】
【０００２】
従来から電気掃除機は、フィルタで塵埃と空気を分離しているためフィルタに付着した塵埃を除去するためにフィルタに除塵振動を与える構造を備えているものがあった。
【０００３】
このような電気掃除機は、コードリールの引き出し、及び収納時の回転力を用い、除塵回転体を回転させフィルタの裏面に除塵振動を与える構成となっていて、コードリールの回転力を除塵回転体に伝えるために、コードリールには駆動歯車が組み込まれ、前記駆動歯車と水平に取付けられた伝達歯車が前記除塵回転体との間に配置されている（例えば、特許文献１参照）。
【先行技術文献】
【特許文献】
【０００４】
【特許文献１】特開２００５−３０５０１４号公報（第６頁、図１１）
【発明の概要】
【発明が解決しようとする課題】
【０００５】
しかしながら、従来の塵埃を除去する除塵手段は、駆動源から実際に除塵動作を行う部位に駆動力を伝達する必要があるため、部品点数が増大し、かつ構造が複雑になることから信頼性の低下、重量の増加などの問題があった。
【０００６】
また、除塵動作は電動送風機が配設されている面側のフィルタ裏面で行われ、回転除塵体がフィルタに除塵振動を与えるが、回転除塵体が設置されている部分は、電動送風機からの通風の抵抗となってしまい、電気掃除機本来の性能である塵埃吸引性能の低下につながっていた。
【０００７】
また、動力伝達経路において電動送風機で発生した負圧を保つためのシール構造も必要となるが、動力を伝達する構成上、シール部は常に可動する部材をシールする必要があるため、経年劣化等による性能の低下の可能性もあった。
【０００８】
本発明は、上記課題を解決するためになされたもので、除塵構造を簡略化しシール構造を不要として、さらには通風の抵抗も抑制し、小型軽量で信頼性の高い除塵手段を備えた電気掃除機を提供することを目的とする。
【課題を解決するための手段】
【０００９】
本発明の電気掃除機は、本体内に配設された電動送風機と、本体内に着脱自在に配設され、電動送風機が発生させる負圧により吸引された塵埃を吸引口より捕集する集塵部とを備え、集塵部は、一面が開口する略凹状をした塵埃を収容する集塵室と、集塵室を覆うように取付けられる細塵を濾過するためのメインフィルタからなり、メインフィルタの集塵室と対向する面側には、一端がメインフィルタに回動自在に軸支された粗塵を濾過するためのプレフィルタとプレフィルタに付勢力を与えるためのプレフィルタ付勢手段が配設され、プレフィルタは、メインフィルタから離れる方向に付勢されているようにしたものである。
【００１０】
また、プレフィルタは、前記メインフィルタに軸支された一端に対し他端が、集塵室に設けられたプレフィルタ受け部に、メインフィルタと所定の角度で離間して当接するようにしたものである。
【００１１】
また、プレフィルタはメインフィルタ軸受け部近傍に軸支されているようにしたものである。
【００１２】
また、プレフィルタに付勢力を与えるためのプレフィルタ付勢手段の付勢力は、電動送風機が発生させる負圧による吸引力よりも弱く設定されているようにしたものである。
【００１３】
また、プレフィルタは、電動送風機を運転すると負圧による吸引力により軸支された箇所を中心に回動し、軸支された端部と反対側の端部がプレフィルタ受け部から離れ、メインフィルタ側に吸引されるようにしたものである。
【００１４】
また、プレフィルタは、電動送風機を停止するとプレフィルタ付勢手段の付勢力により軸支された箇所を中心に回動し、メインフィルタ側から離れ、軸支された端部と反対側の端部がプレフィルタ受け部に衝突するようにしたものである。
【００１５】
また、プレフィルタとメインフィルタ間に通風自在の枠体と枠体に付勢力を与えるための枠体付勢手段が配設され、枠体は一端がメインフィルタに回動自在に軸支され、かつメインフィルタから離れる方向に付勢されていて、枠体付勢手段の付勢力はプレフィルタ付勢手段の付勢力よりも弱く設定されているようにしたものである。
【００１６】
また、プレフィルタは、電動送風機を運転すると負圧による吸引力により軸支された箇所を中心に回動し、枠体をともないプレフィルタ受け部から離れ、前記メインフィルタ側に吸引されるようにしたものである。
【００１７】
また、プレフィルタは、電動送風機を停止するとプレフィルタ付勢手段の付勢力により軸支された箇所を中心に回動し、メインフィルタ側から離れ、軸支された端部と反対側の端部がプレフィルタ受け部に衝突し、その後、枠体が枠体付勢手段の付勢力によりプレフィルタに衝突するようにしたものである。
【００１８】
また、メインフィルタは、集塵室開口の一辺の近傍に設けられたメインフィルタ軸受け部に回動自在に軸支されているようにしたものである。
【００１９】
また、集塵部を本体内に装着した時、電動送風機はプレフィルタの軸支側と反対の端部側に配設されているようにしたものである。
【００２０】
また、電動送風機の運転を制御する制御手段を備え、制御手段は電動送風機の運転を断続的に入→切→入→切・・・と所定時間繰り返す運転モードを備えたものである。
【発明の効果】
【００２１】
本発明によれば、掃除機使用時（電動送風機の運転、停止）毎にフィルタを除塵するため、フィルタ目詰まりが起こり難く、電動送風機の性能低下を防止できるという効果がある。また、フィルタのお手入れが簡便になるという効果がある。
さらに、除塵手段の構成が簡略であるため信頼性が高くなり、本体重量も軽量化が図れる
ことから、掃除機本体も小型軽量化ができ、清掃性が向上するという効果がある。
【図面の簡単な説明】
【００２２】
【図１】本発明の実施の形態１における電気掃除機全体の斜視図である。
【図２】本発明の実施の形態１における操作部を示した模式図である。
【図３】本発明の実施の形態１における電気掃除機を制御する電気的構成を示すブロック図である。
【図４】本発明の実施の形態１における電気掃除機本体の蓋体を開いた状態の斜視図である。
【図５】本発明の実施の形態１における電気掃除機本体で、集塵部を外した状態の斜視図である。
【図６】本発明の実施の形態１における電気掃除機本体の中央断面図である。
【図７】本発明の実施の形態１における集塵部の吸引口方面からの斜視図である。
【図８】本発明の実施の形態１における集塵部のメインフィルタ方面からの斜視図である。
【図９】本発明の実施の形態１における集塵部のメインフィルタを開いた状態の斜視図である。
【図１０】本発明の実施の形態１における集塵部の中央断面図である。
【図１１】本発明の実施の形態１における集塵部のア−ア断面の断面図である。
【図１２】本発明の実施の形態１における集塵部のプレフィルタがメインフィルタ側に吸引されている状態の中央断面図である。
【図１３】本発明の実施の形態１における集塵部のプレフィルタが電動送風機の運転停止によりプレフィルタ付勢手段で付勢されプレフィルタ側から離れ、プレフィルタ受け部へと衝突した状態の中央断面図である。
【図１４】本発明の実施の形態２における集塵部の中央断面図である。
【図１５】本発明の実施の形態２における集塵部のイ−イ断面の断面図である。
【図１６】本発明の実施の形態２における集塵部のプレフィルタと枠体がメインフィルタ側に吸引された後に、電動送風機の運転が停止し、プレフィルタがプレフィルタ付勢手段で付勢されプレフィルタ側から離れ、プレフィルタ受け部へと衝突した状態の中央断面図である。
【図１７】本発明の実施の形態２における集塵部の枠体が遅れてプレフィルタに衝突した状態の中央断面図である。
【図１８】本発明の実施の形態３における風路Ｆを示す電気掃除機本体の中央断面図である。
【図１９】本発明の実施の形態３における電動送風機の配設位置によりプレフィルタに付着する塵埃の位置の変化と、その時のプレフィルタに働く吸引力の関係を示した模式図である。
【図２０】本発明の実施の形態４における操作部を示した模式図である。
【図２１】本発明の実施の形態４における電気掃除機を制御する電気的構成を示すブロック図である。
【図２２】本発明の実施の形態４における電気掃除機の動作説明のためのフローチャートである。
【発明を実施するための形態】
【００２３】
実施の形態１．
図１は本発明の実施の形態１における電気掃除機全体の斜視図、図２は本発明の実施の形態１における操作部を示した模式図、図３は本発明の実施の形態１における電気掃除機を制御する電気的構成を示すブロック図、図４は本発明の実施の形態１における電気掃除機本体の蓋体を開いた状態の斜視図、図５は本発明の実施の形態１における電気掃除機本体で、集塵部を外した状態の斜視図、図６は本発明の実施の形態１における電気掃除機本体の中央断面図、図７は本発明の実施の形態１における集塵部の吸引口方面からの斜視図、図８は本発明の実施の形態１における集塵部のメインフィルタ方面からの斜視図、図９は、本発明の実施の形態１における集塵部のメインフィルタを開いた状態の斜視図、図１０は本発明の実施の形態１における集塵部の中央断面図、図１１は本発明の実施の形態１における集塵部のア−ア断面の断面図、図１２は本発明の実施の形態１における集塵部のプレフィルタがメインフィルタ側に吸引されている状態の中央断面図、図１３は本発明の実施の形態１における集塵部のプレフィルタが電動送風機の運転停止によりプレフィルタ付勢手段で付勢されプレフィルタ側から離れ、プレフィルタ受け部へと衝突した状態の中央断面図、である。
なお、それぞれの図において、同じ部分または相当する部分には同じ符号を付し、一部の説明を省略する。
【００２４】
図１から図６により、本発明の実施の形態１における電気掃除機の構成を説明する。
図１に示すように、電気掃除機は、本体１にホース２の一端部が接続されている。ホース２の他端部には電気掃除機を取り回すための把持部３が設けられ、把持部３には図２に示すような入スイッチ１００、切スイッチ１０１を備えた操作部６が設けられていて後述する本体１内に配設されている図６に示す電動送風機１２の運転や停止を、本体１内に配設され配線基板と配線基板に搭載されたマイコン等の電子部品で構成された図６に示す制御基板１０４からなる図３に示す制御手段１０３により行う。
【００２５】
なお、制御基板１０４の配設位置は本体１内としたが、保持部３の中に配設してもよく、制御基板１０４の配設位置は本発明に関係がないので適宜配設位置は選択可能である。さらに、把持部３に延長管４の一端が接続され、延長管４の他端側に吸込具５が接続されて使用可能な状態となる。
【００２６】
また、図４から図６に示すように本体１は、上ケース７と下ケース８からなり、上ケース７には蓋体９が開閉自在に軸支され、蓋体９の下部には集塵部１０が、本体１内に設けられた集塵部収納部１１に着脱自在に配設されている。さらに本体１内には、電動送風機１２と制御基板１０４が配設され、電動送風機に電力を供給するための、電源コードを巻取り自在に収納するコードリールが配設されている。
【００２７】
次に図７から図１１により本発明の実施の形態１における集塵部の構成を説明する。図７から図９に示すように集塵部１０は、吸引した塵埃を収容する集塵室１４と、吸引した塵埃の内、細かい塵埃（細塵）と空気とを分離するメインフィルタ１６と、吸引した塵埃の内、粗い塵埃（粗塵）と空気とを分離するプレフィルタ１７とプレフィルタ付勢手段２７で構成されている。
【００２８】
集塵室１４は一面が開口する略凹状をしており、集塵部１０を本体１から着脱する際に把持する集塵部ハンドル２６と、開口する面と対向する面に塵埃を含む空気を吸引する吸引口１５が設けられている。吸引口１５の近傍には、吸引した塵埃を含む空気から塵埃を分離し易くするように旋回気流を発生させるための旋回部２２が設けられている。
【００２９】
メインフィルタ１６はＰＴＦＥ膜等の非常に目の細かいフィルタを成形樹脂でプリーツ状に固定したフィルタであり、ヒンジ部２１が設けられている反対の端部では塵埃を分離する側のプリーツ形状が露出した形状となっている。このプリーツ形状を露出させることにより細塵が除去しやすくなっている。
プレフィルタ１７はポリエステル等で出来たメッシュクロスを成形樹脂で固定したフィルタである。
【００３０】
メインフィルタ１６とプレフィルタ１７は、プレフィルタ１７の一端部に設けられた軸部１８とメインフィルタ１６に設けられたプレフィルタ軸受け部１９により回動自在に軸支されている。さらに、メインフィルタ１６と集塵室１４は、集塵室１４開口面の一辺の近傍に設けられたメインフィルタ軸受け部２０とメインフィルタ１６の一端部に設けられたヒンジ部２１により回動自在に軸支されている。
【００３１】
集塵室１４とメインフィルタ１６は、集塵室１４のメインフィルタ軸受け部２０が設けられている反対側の辺近傍に設けられた爪部２３と、メインフィルタ１６のヒンジ部２１が設けられている反対側の端部に設けられた爪掛け部２５で保持され、爪解除部２４を押下することで解除されるようになっている。
【００３２】
また、図１０から図１１に示すように集塵室１４とメインフィルタ１６が保持されている状態では、プレフィルタ１７は軸部１８とプレフィルタ軸受け部１９を中心に、プレフィルタ付勢手段２７の付勢力によりメインフィルタ１６から離れる方向に付勢されていて、集塵室１４に設けられたプレフィルタ受け部２８に軸部１８が設けられた端部の反対側の端部が当接するようになっている。
【００３３】
次に図１２から図１３により本発明の実施の形態１における動作について説明する。
図２に示した操作部６の入スイッチ１００を操作すると図６に示した電動送風機１２が運転され、それにより発生した負圧により、図１に示した吸込具５から塵埃を含む空気が吸引され、吸引口１５より集塵部１０内部に吸引される。
【００３４】
吸引された塵埃を含む空気は旋回部２２で旋回した後、プレフィルタ１７で粗い塵埃と空気が分離され、続いてメインフィルタ１６で細かい塵埃と空気が分離される。この時、プレフィルタ１７で濾過された粗い塵埃がある一定量を超え、吸引力への抵抗力が増した状態となると、プレフィルタ付勢手段２７の付勢力を超えて、プレフィルタ１７はメインフィルタ１６側へと吸引される。
【００３５】
さらに、その後操作部６の切スイッチ１０１を操作すると電動送風機１２が停止し、プレフィルタ１７をメインフィルタ１６側に吸引していた吸引力が無くなり、プレフィルタ付勢手段２７の付勢力によりプレフィルタ１７はメインフィルタ１６から離れ、プレフィルタ１７の端部がプレフィルタ受け部２８へ衝突する。
この衝突による振動で、プレフィルタ１７に付着していた塵埃がプレフィルタ１７から落下、除去される。
【００３６】
除去された塵埃は吸引された塵埃といっしょに集塵部１０に溜められ、集塵部ハンドル２６を持って集塵部１０を本体１より取り出し爪解除部２４を押下し、爪部２３と爪掛け部２５の保持を解除するとメインフィルタ１６が開くので、集塵部１０内部の塵埃を容易に捨てることが出来る。
【００３７】
以上の構成、動作により、電動送風機１２の通風の抵抗が少ない簡単な構造で、電動送風機１２の運転と停止を行うことによりプレフィルタ１７から塵埃が簡単に除去できるので、通常の使用時にフィルタのお手入れが簡単にでき、フィルタ目詰まりによる電動送風機の性能低下を防止できるという効果を奏することができる。
【００３８】
実施の形態２．
図１４は本発明の実施の形態２における集塵部の中央断面図、図１５は本発明の実施の形態２における集塵部のイ−イ断面の断面図、図１６は本発明の実施の形態２における集塵部のプレフィルタと枠体がメインフィルタ側に吸引された後に、電動送風機の運転が停止し、プレフィルタがプレフィルタ付勢手段で付勢されプレフィルタ側から離れ、プレフィルタ受け部へと衝突した状態の中央断面図、図１７は本発明の実施の形態２における集塵部の枠体が遅れてプレフィルタに衝突した状態の中央断面図である。
なお、それぞれの図において、同じ部分または相当する部分には同じ符号を付し、一部の説明を省略する。また、図１から図１３において付した符号においても同じ部分または相当する部分について、一部の説明を省略する。
【００３９】
図１４から図１５により、本発明の実施の形態２における電気掃除機の構成を説明する。
図１４から図１５に示すように、枠体２９と枠体付勢手段３１がプレフィルタ１７とメインフィルタ１６の間に設けられている。枠体２９は成形樹脂で形成された目の粗い格子状の枠体で、枠体軸部３０と、プレフィルタ１７と同軸上で軸受け部２０に回動自在に軸支され、枠体付勢手段３１の付勢力で枠体２９の枠体軸部３０が設けられている反対側の端部がメインフィルタ１６と離れる方向に付勢されている。ここで、枠体付勢手段３１の付勢力はプレフィルタ付勢手段２７の付勢力よりも弱く設定されている。
【００４０】
次に図１６から図１７により本発明の実施の形態２における動作について説明する。
図２に示した操作部６の入スイッチ１００を操作すると図６に示した電動送風機１２が運転され、それにより発生した負圧により、図１に示した吸込具５から塵埃を含む空気が吸引され、吸引口１５より集塵部１０内部に吸引される。
【００４１】
吸引された塵埃を含む空気は旋回部２２で旋回した後、プレフィルタ１７で粗い塵埃と空気が分離され、続いてメインフィルタ１６で細かい塵埃と空気が分離される。この時、プレフィルタ１７で濾過された粗い塵埃がある一定量を超え、吸引力への抵抗力が増した状態となると、プレフィルタ付勢手段２７の付勢力と枠体付勢手段３１の付勢力を超えて、プレフィルタ１７は枠体２９をともなってメインフィルタ１６側へと吸引される。
【００４２】
さらに、その後操作部６の切スイッチ１０１を操作すると電動送風機１２が停止し、プレフィルタ１７をメインフィルタ１６側に吸引していた吸引力が無くなり、プレフィルタ付勢手段２７の付勢力によりプレフィルタ１７はメインフィルタ１６から離れ、プレフィルタ１７の端部がプレフィルタ受け部２８へ衝突する。
この衝突による振動で、プレフィルタ１７に付着していた塵埃がプレフィルタ１７から落下、除去される。
【００４３】
さらに、その後枠体付勢手段３１の付勢力により枠体２９も遅れてメインフィルタ１６から離れ、プレフィルタ１７に衝突し、その衝撃で落としきれなかったプレフィルタ１７に残存していた塵埃を完全に除去することが出来る。
【００４４】
以上の構成、動作により、実施の形態１と同様に、電動送風機１２の通風の抵抗が少ない簡単な構造で、電動送風機１２の運転と停止を行うことによりプレフィルタ１７から塵埃が簡単に除去できるので、通常の使用時にフィルタのお手入れが簡単にでき、フィルタ目詰まりによる電動送風機の性能低下を防止できるという効果を奏することができる。
さらに、遅れて衝突する枠体の衝撃でプレフィルタ１７からの塵埃除去がより促進されるという効果を奏することができる。
【００４５】
実施の形態３．
図１８は本発明の実施の形態３における風路Ｆを示す電気掃除機本体の中央断面図、図１９は本発明の実施の形態３における電動送風機の配設位置によりプレフィルタに付着する塵埃の位置の変化と、その時のプレフィルタに働く吸引力の関係を示した模式図である。なお、それぞれの図において、同じ部分または相当する部分には同じ符号を付し、一部の説明を省略する。また、図１から図１７において付した符号においても同じ部分または相当する部分について、一部の説明を省略する。
【００４６】
図１８により、本発明の実施の形態３における電気掃除機の構成を説明する。
図１８に示すように集塵部１０が本体１内に収納されている状態で、電動送風機１２は吸引口１５よりも高い位置で、かつプレフィルタ１７がプレフィルタ受け部２８に当接する端部側の位置寄りに配設されている。
【００４７】
次に図１９により本発明の実施の形態３における動作について説明する。
図に示すように、電動送風機１２がプレフィルタ１７が軸支されている軸部１８に近い位置に配設されているよりも、軸部１８の反対側で、プレフィルタ受け部２８に当接する端部側の位置寄りに配設されているほうが、小さい吸引力で、プレフィルタ１７をメインフィルタ１６側へ吸引できるので、より効率よくプレフィルタ１７に付着していた塵埃の除去を行うことができる。また、風路Ａのように風が流れることで軸部１８近傍では風がよどみ衝突による振動で落下した塵埃が、再付着することを防ぐ効果も期待できる。
【００４８】
以上の構成、動作により、実施の形態１と同様に、電動送風機１２の通風の抵抗が少ない簡単な構造で、電動送風機１２の運転と停止を行うことによりプレフィルタ１７から塵埃が簡単に除去できるので、通常の使用時にフィルタのお手入れが簡単にでき、フィルタ目詰まりによる電動送風機の性能低下を防止できるという効果を奏することができる。
さらに、電動送風機１２をプレフィルタ１７がプレフィルタ受け部２８に当接する端部側の位置寄りに配設することで、プレフィルタ１７からより小さい吸引力で効率よく塵埃が除去できるという効果を奏することができる。
【００４９】
実施の形態４．
図２０は本発明の実施の形態４における操作部を示した模式図、図２１は本発明の実施の形態４における電気掃除機を制御する電気的構成を示すブロック図、図２２は本発明の実施の形態４における電気掃除機の動作説明のためのフローチャートである。
なお、それぞれの図において、同じ部分または相当する部分には同じ符号を付し、一部の説明を省略する。また、図１から図１９において付した符号においても同じ部分または相当する部分について、一部の説明を省略する。
【００５０】
図２０から図２１により、本発明の実施の形態４における電気掃除機の構成を説明する。図２０から図２１に示すように、操作部６には、除塵スイッチ１０２が設けられていて本体１内に配設されている図６に示す電動送風機１２の運転や停止を、本体１内に配設され配線基板と配線基板に搭載されたマイコン等の電子部品で構成された図６に示す制御基板１０４からなる図２１に示す制御手段１０３により行う。
除塵スイッチ１０２は電動送風機１２の運転を断続的に入→切→入→切・・・と所定時間繰り返す運転モードを実行するためのスイッチである。
【００５１】
次に図２２により本発明の実施の形態４における動作について説明する。
図２２はフローチャートであり、ステップ１において除塵スイッチ１０２が押されるとステップ２で電動送風機１２の断続運転が開始される。ステップ３で経過時間Ｔ１が所定時間ＴＸに到達しない間は、電動送風機１２の断続運転が継続される。所定時間ＴＸが経過するとステップ４にて電動送風機１２は連続運転となり入スイッチ１００を入れた時と同じ運転状態となる。ステップ５で切スイッチ１０１を押すと電動送風機１２は停止する。
【００５２】
以上の構成、動作により、実施の形態１と同様に、電動送風機１２の通風の抵抗が少ない簡単な構造で、電動送風機１２の運転と停止を行うことによりプレフィルタ１７から塵埃が簡単に除去できるので、通常の使用時にフィルタのお手入れが簡単にでき、フィルタ目詰まりによる電動送風機の性能低下を防止できるという効果を奏することができる。
さらに、電動送風機１２の運転が入→切→入→切・・・と所定時間繰り返されるので除塵動作繰り返し行われ、一回の除塵動作で落としきれなった塵埃がプレフィルタ１７からより確実に除去できるという効果を奏することができる。
【００５３】
以上のことにより、本発明の電気掃除機は、塵埃を濾過するフィルタを備えフィルタに付着した塵埃の除塵手段を備える電気掃除機に広く利用することができる。
【符号の説明】
【００５４】
１  本体、２  ホース、３  把持部、４  延長管、５  吸込具、６  操作部、７  上ケース、  ８  下ケース、９  蓋体、１０  集塵部、１１  集塵部収納部、１２  電動送風機、１３  コードリール、１４  集塵室、１５  吸引口、１６  メインフィルタ、１７  プレフィルタ、１８  軸部、１９  プレフィルタ軸受け部、２０  メインフィルタ軸受け部、２１  ヒンジ部、２２  旋回部、２３  爪部、２４  爪解除部、２５  爪掛け部、２６  集塵部ハンドル、２７  プレフィルタ付勢手段、２８  プレフィルタ受け部、２９  枠体、３０  枠体軸部、３１  枠体付勢手段、１００  入スイッチ、１０１  切スイッチ、１０２  除塵スイッチ、１０３  制御部、１０４  制御基板
【図１】
2011010929.tif 000003
【図２】
2011010929.tif 000004
【図３】
2011010929.tif 000005
【図４】
2011010929.tif 000006
【図５】
2011010929.tif 000007
【図６】
2011010929.tif 000008
【図７】
2011010929.tif 000009
【図８】
2011010929.tif 000010
【図９】
2011010929.tif 000011
【図１０】
2011010929.tif 000012
【図１１】
2011010929.tif 000013
【図１２】
2011010929.tif 000014
【図１３】
2011010929.tif 000015
【図１４】
2011010929.tif 000016
【図１５】
2011010929.tif 000017
【図１６】
2011010929.tif 000018
【図１７】
2011010929.tif 000019
【図１８】
2011010929.tif 000020
【図１９】
2011010929.tif 000021
【図２０】
2011010929.tif 000022
【図２１】
2011010929.tif 000023
【図２２】
2011010929.tif 000024